(57)【特許請求の範囲】
【請求項１】
給湯装置の出湯管から切換バルブにより分岐され給湯装置からの温水を浴槽へ導く風呂給湯管に取り付けられ、風呂給湯管内の圧力が負圧になると、吸気弁が開いて吸気口から外気を風呂給湯管内に吸引するバキュームブレーカーにおいて、上記吸気口に、通気性のフィルタを内部に装填したチューブを接続して、上記吸気弁の開弁時に昆虫やゴミなどの異物が上記吸気口から侵入することを防止したことを特徴とするバキュームブレーカー。
【発明の詳細な説明】
【０００１】
【発明の属する技術分野】
本発明は、給湯装置からの温水を浴槽に導く風呂給湯管に取り付けられたバキュームブレーカーに関する。
【０００２】
【従来の技術】
給湯装置には上水道から上水が供給され、給湯装置から出湯管を通って送出される温水は台所の蛇口やシャワー等へ供給される。一方、浴槽に湯張りを行う場合には、出湯管から風呂給湯管を分岐させ風呂給湯管に設けた切換バルブとしての湯張り電磁弁を開弁させることによって温水を浴槽へ供給するように構成されている。即ち、浴槽へ給湯する湯張り指示があった場合、湯張り電磁弁を開弁し、所定量の給湯が終了すると、湯張り電磁弁は閉弁される。また、風呂給湯管に設けた湯張り電磁弁の下流側にはバキュームブレーカーが取り付けられている。該バキュームブレーカーは吸気弁及び吸気口を備えており、断水等により風呂給湯管内の圧力が負圧になると、吸気弁が開弁して吸気口から外気を風呂給湯管内へ吸引するものである。そして、外気が吸気口から風呂給湯管内に吸引されると、風呂給湯管内の負圧状態が解消され、浴槽内の湯が上水道へ逆流することが防止される。
【０００３】
【発明が解決しようとする課題】
一方、上記湯張り電磁弁が閉弁すると、該湯張り電磁弁の下流側に負圧が生じ、該湯張り電磁弁から浴槽に向かって衝撃波が伝搬する。該衝撃波がバキュームブレーカーの設置位置を通過すると衝撃波の背部が負圧になってるため吸気弁が瞬間的に開弁し、外気を吸引することにより負圧状態が解消されてウォーターハンマー現象が防止される。湯張り電磁弁は、浴槽への湯張り毎に頻繁に閉弁するためバキュームブレーカーの吸気弁も頻繁に開弁する。冬季などでは吸気口近傍は暖かいため昆虫が徘徊し、あるいは吸気口に埃が溜まっていると湯張り電磁弁の開弁毎に吸気口から吸引され、吸気弁に昆虫や埃が噛み込み、水密不良となって吸気口から水漏れが発生する。
【０００４】
そこで本発明は、上記の問題点に鑑み、吸気弁に昆虫や埃が噛み込まないバキュームブレーカーを提供することを課題とする。
【０００５】
【課題を解決するための手段】
上記課題を解決するために請求項１の発明は、給湯装置の出湯管から切換バルブにより分岐され給湯装置からの温水を浴槽へ導く風呂給湯管に取り付けられ、風呂給湯管内の圧力が負圧になると、吸気弁が開いて吸気口から外気を風呂給湯管内に吸引するバキュームブレーカーにおいて、上記吸気口に、通気性のフィルタを内部に装填したチューブを接続して、上記吸気弁の開弁時に昆虫やゴミなどの異物が上記吸気口から侵入することを防止したことを特徴とする。
【０００６】
また、請求項２記載の発明は、給湯装置の出湯管から切換バルブにより分岐され給湯装置からの温水を浴槽へ導く風呂給湯管に取り付けられ、風呂給湯管内の圧力が負圧になると外気を風呂給湯管内に吸引する吸気口を備えたバキュームブレーカーにおいて、上記吸気口に適宜の長さのチューブを装着すると共にチューブ内を通って吸気口に対して異物が侵入することを防止する通気性のフィルタを該チューブ内に装填したことを特徴とする。
【０００７】
【発明の実施の形態】
図１を参照して、１は給湯装置でありガス供給管１１と給水管１２とが接続されており、給水管１２から供給される冷水を熱交換器１３を通すことにより加熱し温水として出湯管２から台所の蛇口等へと出湯する。また、図外の浴槽へ温水を導く風呂給湯管３が出湯管２から分岐されている。該風呂給湯管３の分岐点には、切換バルブである開閉式の湯張り電磁弁３１が配設されており、図示しないリモコンからの湯張り指示により出湯管２内の温水を浴槽へ供給する際には湯張り電磁弁３１が開弁し、浴槽内に所定量の温水が供給されると閉弁するように制御される。また、該湯張り電磁弁３１の下流位置に本発明に係るバキュームブレーカー４を取り付けた。該バキュームブレーカー４は具体的には図２に示すように逆止弁５に一体に組み込まれており、大気に開放された吸気口４１と該吸気口４１を内側から閉鎖する吸気弁４２及び該吸気弁４２を閉弁方向に付勢するばね４３とから構成されている。従って、風呂給湯管３内の圧力が負圧になると吸気弁４２はばね４３の付勢力に抗して内側に移動し、吸気口４１を介して風呂給湯管３内と大気とが連通する。風呂給湯管３内は負圧になっているので、吸気口４１を介して外部の空気が風呂給湯管３内へと吸引される。湯張り運転中に断水が生じて給水管１２側が負圧状態となり、風呂給湯管３内の湯が給水管１２側に吸い込まれようとした場合には吸気弁４２が開弁して外気を吸引し、負圧状態を解消するように作用する。また、湯張り電磁弁３１の閉弁毎に、湯張り電磁弁３１の下流域が負圧状態となるが、該負圧により吸気弁４２が一瞬ではあるが開弁し外気を吸引することにより負圧状態が解消されてウォーターハンマー現象を防止するように作用する。但し、吸気弁４２が頻繁に開弁すると吸気弁４２の弁座に昆虫やゴミが噛み込み、水密不良となって湯が漏出する。給湯機１がマンションに設置されているような場合には漏出した湯が周囲に置かれている物にかかるという不具合が生じる。
【０００８】
そこで、本発明では図３に示すように、吸気口４１から漏出した湯を排水口等のしかるべき場所に導くチューブ６を装着した。また、図４に示すように、該チューブ６内には発泡性のウレタンフォームからなるフィルタ７を充填した。該フィルタ７は通気性を有しており、吸気口４１から吸引される空気は透過するが、昆虫やゴミは該フィルタ７によって塞ぎ止められ、吸気口４１への侵入が阻止される。
【０００９】
尚、図２に示すようにバキュームブレーカーの本体４０は水抜き栓として機能することができる。
【００１０】
また、図５に示すように、漏出した湯をしかるべき場所に導く必要がない場合には、上記フィルタ７を直接吸気口４１に取付けることもできる。
【００１１】
【発明の効果】
以上の説明から明らかなように、本発明は、分岐点より下流に設置されたバキュームブレーカーの吸気口に直接吸気口に対して異物が侵入することを防止する通気性のフィルタを取付け、または該吸気口に適宜の長さのチューブを装着すると共にチューブ内を通って吸気口に対して異物が侵入することを防止する通気性のフィルタを該チューブ内に装填したので、分岐点に配設された湯張り電磁弁の閉弁毎に発生する負圧状態によって吸気弁が閉弁しても昆虫やゴミを吸い込むことが防止される。
【図面の簡単な説明】
【図１】本発明のバキュームブレーカーの設置状態を示す図
【図２】バキュームブレーカーの詳細な構成を示す断面図
【図３】吸気口にチューブを接続した状態を示す図
【図４】チューブ内のフィルタを示す断面図
【図５】本発明の変形例のバキュームブレーカーを示す断面図
【符号の説明】
１  給湯機
２  出湯管
３  風呂給湯管
４  バキュームブレーカー
６  チューブ
７  フィルタ
【図１】
0003760400.tif 000002
【図２】
0003760400.tif 000003
【図３】
0003760400.tif 000004
【図４】
0003760400.tif 000005
【図５】
0003760400.tif 000006